(57)【要約】【課題】湯水混合水栓装置本体を容易に位置決めすることができ、比較的重量が大きい湯水混合水栓装置本体を取り付ける際の施工性を向上させることができる【解決手段】本発明の湯水混合水栓装置１は、湯水混合水栓装置本２と、湯側脚部材１８と、水側脚部材２０と、これらの脚部材と湯水混合水栓装置本体とを接続する接続部材２６と、を有し、接続部材は、湯水混合水栓装置本体が接続される前に、湯側脚部材と水側脚部材とを一体化させて取付面に予め固定し、湯側脚部材の下端部から取付面の付近まで上方に延びる第１通湯路２２ａの中心軸線Ａ１は、取付面の付近から湯側脚部材の上端部まで上方に延びる第２通湯路２２ｂの中心軸線Ａ２に対して偏心し、水側脚部材の下端部から取付面の付近まで上方に延びる第１通水路２４ａの中心軸線Ａ３は、取付面の付近から水側脚部材の上端部まで上方に延びる第２通水路２４ｂの中心軸線Ａ４に対して偏心している。【選択図】図２
2014070423.tif 000002
【特許請求の範囲】
【請求項１】
湯と水を混合して吐止水を行う湯水混合水栓装置であって、
上流側から供給された湯と水を混合して所定温度に調節した湯水を吐止水する湯水混合水栓装置本体と、
取付面に対してほぼ垂直な方向に貫く通湯路を形成し、下端部が給湯配管に接続され且つ上端部が上記取付面上に取り付けられる湯側脚部材と、上記取付面に対してほぼ垂直な方向に貫く通水路を形成し、下端部が給水配管に接続され且つ上端部が上記取付面上に取り付けられる水側脚部材と、を備えた脚部材と、
この脚部材と上記湯水混合水栓装置本体とを接続し、互いの通湯路同士及び通水路同士を連通させる接続部材と、を有し、
上記接続部材は、上記湯水混合水栓装置本体が接続される前に、上記湯側脚部材及び上記水側脚部材のそれぞれに接続されることにより、上記湯側脚部材と上記水側脚部材とを一体化させて上記取付面に予め固定し、その後上記湯水混合水栓装置本体が上記接続部材に接続され、
上記湯側脚部材の通湯路は、この湯側脚部材の下端部から上記取付面の付近まで上方に延びる第１通湯路と、上記取付面の付近から上記湯側脚部材の上端部まで上方に延びる第２通湯路と、を備え、この第２通湯路の中心軸線は、上記第１通湯路の中心軸線に対して偏心し、上記水側脚部材の通水路は、この水側脚部材の下端部から上記取付面の付近まで上方に延びる第１通水路と、上記取付面の付近から上記水側脚部材の上端部まで上方に延びる第２通水路と、を備え、この第２通水路の中心軸線は、上記第１通水路の中心軸線に対して偏心し、上記第１通湯路の中心軸線と上記第１通水路の中心軸線との距離は、上記湯側脚部材の第２通湯路の中心軸線と上記水側脚部材の第２通水路の中心軸線との距離が一定になるように、上記湯側脚部材及び上記水側脚部材のそれぞれの上端部が上記接続部材に接続される方向に応じて調整可能であることを特徴とする湯水混合水栓装置。
【請求項２】
上記接続部材は、その内部に形成された通湯路及び通水路のそれぞれに調圧弁が設けられている請求項１記載の湯水混合水栓装置。
【請求項３】
上記接続部材は、その前方側から取り付けられた調圧機能付き止水栓を備えている請求項１又は２に記載の湯水混合水栓装置。
【発明の詳細な説明】
【技術分野】
【０００１】
本発明は、湯水混合水栓装置に係わり、特に、湯と水を混合して吐止水を行う湯水混合水栓装置に関する。
【背景技術】
【０００２】
従来から、湯と水を混合して吐止水を行う湯水混合水栓装置として、例えば、特許文献１に記載されているように、特に、浴室の浴槽周囲のカウンターデッキ面等のほぼ水平な取付面に設置され、この取付面から鉛直方向に立ち上がる給水配管と給湯配管に対して、湯水混合水栓装置を上方から取り付けることによって施工されるものが知られている。
このような従来の湯水混合水栓装置においては、給水配管と給湯配管を含む台付きのソケット（脚部材）に湯水混合水栓装置本体が直接的に取り付けられており、湯水混合水栓装置本体と脚部材の二部品によって構成されている。
【先行技術文献】
【特許文献】
【０００３】
【特許文献１】特開平１０−２０４９４６号公報
【発明の概要】
【発明が解決しようとする課題】
【０００４】
しかしながら、従来の湯水混合水栓装置においては、施工時に、給水配管と給湯配管に接続された脚部材に湯水混合水栓装置本体を固定する際に、巨大で重量の大きな湯水混合水栓本体を脚部材に締結する作業が行われている。このとき、施工者は、重量のある湯水混合水栓本体を持ちながら、給水側の脚部材と給湯側の脚部材のそれぞれの接続箇所に対する位置合わせを行った上で、湯水混合水栓本体と脚部材とを締結しなければならず、施工作業がしにくいという問題がある。
【０００５】
そこで、本発明は、上述した従来技術の問題を解決するためになされたものであり、湯水混合水栓装置本体を容易に位置決めすることができ、比較的重量が大きい湯水混合水栓装置本体を取り付ける際の施工性を向上させることができる湯水混合水栓装置を提供することを目的としている。
【課題を解決するための手段】
【０００６】
上述した課題を解決するために、本発明は、湯と水を混合して吐止水を行う湯水混合水栓装置であって、上流側から供給された湯と水を混合して所定温度に調節した湯水を吐止水する湯水混合水栓装置本体と、取付面に対してほぼ垂直な方向に貫く通湯路を形成し、下端部が給湯配管に接続され且つ上端部が上記取付面上に取り付けられる湯側脚部材と、上記取付面に対してほぼ垂直な方向に貫く通水路を形成し、下端部が給水配管に接続され且つ上端部が上記取付面上に取り付けられる水側脚部材と、を備えた脚部材と、この脚部材と上記湯水混合水栓装置本体とを接続し、互いの通湯路同士及び通水路同士を連通させる接続部材と、を有し、上記接続部材は、上記湯水混合水栓装置本体が接続される前に、上記湯側脚部材及び上記水側脚部材のそれぞれに接続されることにより、上記湯側脚部材と上記水側脚部材とを一体化させて上記取付面に予め固定し、その後上記湯水混合水栓装置本体が上記接続部材に接続され、上記湯側脚部材の通湯路は、この湯側脚部材の下端部から上記取付面の付近まで上方に延びる第１通湯路と、上記取付面の付近から上記湯側脚部材の上端部まで上方に延びる第２通湯路と、を備え、この第２通湯路の中心軸線は、上記第１通湯路の中心軸線に対して偏心し、上記水側脚部材の通水路は、この水側脚部材の下端部から上記取付面の付近まで上方に延びる第１通水路と、上記取付面の付近から上記水側脚部材の上端部まで上方に延びる第２通水路と、を備え、この第２通水路の中心軸線は、上記第１通水路の中心軸線に対して偏心し、上記第１通湯路の中心軸線と上記第１通水路の中心軸線との距離は、上記湯側脚部材の第２通湯路の中心軸線と上記水側脚部材の第２通水路の中心軸線との距離が一定になるように、上記湯側脚部材及び上記水側脚部材のそれぞれの上端部が上記接続部材に接続される方向に応じて調整可能であることを特徴としている。
このように構成された本発明においては、湯水混合水栓装置本体の取り付けを行う前に、接続部材を湯側脚部材及び水側脚部材に予め接続することにより、湯側脚部材と水側脚部材のそれぞれについて、接続部材を介して一体化した状態で取付面に予め固定することができ、容易に位置決めすることができる。また、これらの湯側脚部材、水側脚部材及び接続部材が一体的に固定された後、接続部材に湯水混合水栓装置本体を接続することにより、湯水混合水栓装置本体を容易に位置決めすることができるため、比較的重量が大きい湯水混合水栓装置本体であっても、接続部材に接続して取り付ける際の施工性を向上させることができる。さらに、湯側脚部材の第１通湯路の中心軸線と第２通湯路の中心軸線とが互いに偏心し、水側脚部材の第１通水路の中心軸線と第２通水路の中心軸線とが互いに偏心しており、湯側脚部材の第１通湯路の中心軸線と水側脚部材の第１通水路の中心軸線との距離が、湯側脚部材の第２通湯路の中心軸線と水側脚部材の第２通水路の中心軸線との距離が一定になるように、湯側脚部材及び水側脚部材のそれぞれの上端部が接続部材に接続される方向に応じて調整可能であるため、湯水混合水栓装置の設置場所に応じて給湯配管の中心軸線と給水配管の中心軸線との距離が変更される状況であっても、湯側脚部材及び水側脚部材のそれぞれの上端部が接続部材に接続される方向を調整することにより、湯側脚部材の第２通湯路の中心軸線と水側脚部材の第２通水路の中心軸線との距離を一定にすることができる。したがって、給湯配管の中心軸線と給水配管の中心軸線との距離が異なる様々な施工条件にもかかわらず、同一の接続部材を適用することができ、湯水混合水栓装置本体を容易に位置決めすることができる。
【０００７】
本発明において、好ましくは、上記接続部材は、その内部に形成された通湯路及び通水路のそれぞれに調圧弁が設けられている。
このように構成された本発明においては、接続部材の通湯路及び通水路のそれぞれに調圧弁が設けられているため、接続部材の通湯路及び通水路のそれぞれにおいて、湯の供給圧と水の供給圧のそれぞれが過剰に高くなることを抑制することができ、湯水混合水栓装置本体で湯と水が混合されて温度が調整される際の温度調整機能を向上させることができる。また、湯側脚部材と水側脚部材とを一体化させる部材である１つの接続部材の通湯路及び通水路のそれぞれに調圧弁が設けられているため、別々の接続部材に調圧弁がそれぞれ設けられている場合に比べて、調圧弁の動作により発生する振動で接続部材自体が回動したり、接続部材と脚部材との接続部や、接続部材と湯水混合水栓装置本体との接続部が緩むことを抑制することができる。
【０００８】
本発明において、好ましくは、上記接続部材は、その前方側から取り付けられた調圧機能付き止水栓を備えている。
このように構成された本発明においては、接続部材の前方側から調圧機能付き止水栓が取り付けられているため、接続部材の前方から止水栓を容易に操作することができ、使い勝手を向上させることができる。また、調圧弁が接続部材の前後方向に作動する場合でも、接続部材が湯側脚部材と水側脚部材とを一体化させる部材であるため、接続部材自体が回動したり、接続部材と脚部材との接続部や、接続部材と湯水混合水栓装置本体との接続部が緩むことを抑制することができる。
【発明の効果】
【０００９】
本発明の湯水混合水栓装置によれば、湯水混合水栓装置本体を容易に位置決めすることができ、比較的重量が大きい湯水混合水栓装置本体を取り付ける際の施工性を向上させることができる。
【図面の簡単な説明】
【００１０】
【図１】本発明の第１実施形態による湯水混合水栓装置の概略斜視図である。
【図２】本発明の第１実施形態による湯水混合水栓装置の外装カバーを取り外した状態を示す分解斜視図である。
【図３】本発明の第１実施形態による湯水混合水栓装置について部分的に破断した部分正面断面図である。
【図４】本発明の第１実施形態による湯水混合水栓装置の接続部材、湯側脚部材及び水側脚部材の第１の使用状態を示す平面図である。
【図５】本発明の第１実施形態による湯水混合水栓装置の接続部材、湯側脚部材及び水側脚部材の第１の使用状態を示す正面図である。
【図６】本発明の第１実施形態による湯水混合水栓装置の接続部材、湯側脚部材及び水側脚部材の第２の使用状態を示す平面図である。
【図７】本発明の第１実施形態による湯水混合水栓装置の接続部材、湯側脚部材及び水側脚部材の第２の使用状態を示す正面図である。
【図８】本発明の第１実施形態による湯水混合水栓装置の接続部材、湯側脚部材及び水側脚部材の第３の使用状態を示す平面図である。
【図９】本発明の第１実施形態による湯水混合水栓装置の接続部材、湯側脚部材及び水側脚部材の第３の使用状態を示す正面図である。
【図１０】図５のＸ−Ｘ線に沿って見た部分断面斜視図である。
【図１１】図１０に示す本発明の第１実施形態による湯水混合水栓装置の調圧機能付き止水栓装置の部分を拡大した部分拡大断面図である。
【図１２】本発明の第２実施形態による湯水混合水栓装置の接続部材、湯側脚部材及び水側脚部材の平面図である。
【図１３】本発明の第２実施形態による湯水混合水栓装置の接続部材、湯側脚部材及び水側脚部材の正面図である。
【発明を実施するための形態】
【００１１】
以下、添付図面を参照して本発明の湯水混合水栓装置の第１実施形態について説明する。
図１は、本発明の第１実施形態による湯水混合水栓装置を示す概略斜視図である。図１に示すように、本発明の第１実施形態による湯水混合水栓装置１は、上流側から供給された湯と水を混合して所定温度に調節した湯水を吐止水する湯水混合水栓装置本体２を備え、この湯水混合水栓装置本体２は、例えば、浴室の浴槽周囲のカウンターデッキ面等のほぼ水平な取付面４に対して所定距離上方の位置に取り付けられている。
また、湯水混合水栓装置本体２は、先端部に吐水口６ａが形成されたスパウト６と、先端部にシャワーヘッド８が取り付けられたシャワーホース１０と、温度調節装置１２と、スパウト６の吐水口６ａによるカラン吐止水又はシャワーヘッド８によるシャワー吐止水に切り替え可能な流量調整機能を備えたカラン／シャワー切替装置１４とを備えている。ここで、湯水混合水栓装置本体２には、温度調節装置１２やカラン／シャワー切替装置１４の主動作を行うための機構や多数の部品（例えば、感温ばね、バイアスばね、主弁体等）が内蔵されているため、湯水混合水栓装置本体２自体が比較的重い重量となっている。
さらに、湯水混合水栓装置本体２と取付面４との間の湯水混合水栓装置１の構造部分については、外装カバー１６によって覆われている。
【００１２】
つぎに、図２は、本発明の第１実施形態による湯水混合水栓装置の外装カバーを取り外した状態を示す分解斜視図であり、図３は、本発明の第１実施形態による湯水混合水栓装置について部分的に破断した部分正面断面図である。
まず、図２及び図３に示すように、本実施形態の湯水混合水栓装置１は、取付面４に取り付けられる湯側脚部材１８及び水側脚部材２０の２つの脚部材を備えている。湯側脚部材１８は、取付面４に取り付けた状態では、取付面４を上下方向に貫く通湯路２２を形成し、下端部が取付面４よりも下方に位置し且つその上流側の給湯配管（図示せず）に接続され、上端部が取付面４上に取り付けられている。同様に、水側脚部材２０は、取付面４に取り付けた状態では、取付面４を上下方向に貫く通水路２４を形成し、下端部が取付面４よりも下方に位置し、且つその上流側の給水配管（図示せず）に接続され、上端部が取付面４上に取り付けられている。
【００１３】
つぎに、図２及び図３に示すように、本実施形態の湯水混合水栓装置１は、湯側脚部材１８及び水側脚部材２０と湯水混合水栓装置本体２との間に設けられて湯側脚部材１８及び水側脚部材２０のそれぞれと湯水混合水栓装置本体２とを接続する接続部材２６を備えている。
この接続部材２６は、鋳物等で一体成形された金属製の一体部材であり、湯側脚部材１８の上接続部２８に接続される湯側下接続部３０と、水側脚部材２０の上接続部３２に接続される水側下接続部３４とを備えている。また、接続部材２６は、湯水混合水栓装置本体２の湯側下接続部３６に接続される湯側上接続部３８と、湯水混合水栓装置本体２の水側下接続部４０に接続される水側上接続部４２とを備えている。
【００１４】
また、図３に示すように、接続部材２６の内部には、湯側下接続部３０から湯側上接続部３８にかけて通湯路４４が形成され、水側下接続部３４から水側上接続部４２にかけて通水路４６が形成されている。これらの通湯路４４及び通水路４６のそれぞれは、一体成形された単一の接続部材２６の中に互いに独立に形成されている。接続された状態の接続部材２６では、接続部材２６通湯路４４を介して、湯側脚部材１８の通湯路２２と湯水混合水栓装置本体２の通湯路４８とが連通し、接続部材２６の通水路４６を介して、水側脚部材２０の通水路２４と湯水混合水栓装置本体２の通水路５０とが連通している。
さらに、図２及び図３に示すように、接続部材２６の通湯路４４及び通水路４６のそれぞれの流路の途中には、後述する調圧機能付き止水栓装置５２，５４が組み込まれており、湯側脚部材１８の通湯路２２及び水側脚部材２０の通水路２４のそれぞれから接続部材２６の通湯路４４及び通水路４６のそれぞれに流入した湯と水のそれぞれは、調圧機能付き止水栓装置５２，５４のそれぞれを通過することにより調圧された後、湯水混合水栓装置本体２の通湯路４８及び通水路５０のそれぞれに流入し、湯水混合水栓装置本体２の内部で混合されるようになっている。
【００１５】
つぎに、図４は、本発明の第１実施形態による湯水混合水栓装置の接続部材、湯側脚部材及び水側脚部材の第１の使用状態を示す平面図であり、図５は、本発明の第１実施形態による湯水混合水栓装置の接続部材、湯側脚部材及び水側脚部材の第１の使用状態を示す正面図である。
図２〜図５に示すように、湯側脚部材１８の通湯路２２は、この湯側脚部材１８の下端部から取付面４の付近まで上方に延びる第１通湯路２２ａと、取付面４の付近から湯側脚部材１８の上端部まで上方に延びる第２通湯路２２ｂとを備え、第１通湯路２２ａの上下方向に延びる中心軸線Ａ１は、第２通湯路２２ｂの上下方向に延びる中心軸線Ａ２に対して平行であり且つ水平方向外側に偏心している。
同様に、水側脚部材２０の通水路２４は、この水側脚部材２０の下端部から取付面４の付近まで上方に延びる第１通水路２４ａと、取付面４の付近から水側脚部材２０の上端部まで上方に延びる第２通水路２４ｂとを備え、第１通水路２４ａの上下方向に延びる中心軸線Ａ３は、第２通水路２４ｂの上下方向に延びる中心軸線Ａ４に対して平行であり且つ水平方向外側に偏心している。
すなわち、図４及び図５に示すように、接続部材２６、湯側脚部材１８及び水側脚部材２０の第１の使用状態Ｐ１では、湯側脚部材１８の第１通湯路２２ａの中心軸線Ａ１と水側脚部材２０の第１通水路２４ａの中心軸線Ａ３との間の距離Ｌ１（例えば、Ｌ１＝１２０ｍｍ）が、湯側脚部材１８の第２通湯路２２ｂの中心軸線Ａ２と水側脚部材２０の第２通水路２４ｂの中心軸線Ａ４との間の距離Ｌ２よりも大きい距離（Ｌ１＞Ｌ２）となっている。
【００１６】
また、湯水混合水栓装置１を取付面４に取り付ける施工時においては、湯水混合水栓装置本体２を接続部材２６に接続する前に、まず、湯側脚部材１８及び水側脚部材２０のそれぞれを取付面４に取り付けた後、湯側脚部材１８の上接続部２８とこれに対応する接続部材２６の湯側下接続部３０とを接続すると共に、水側脚部材２０の上接続部３２とこれに対応する接続部材２６の水側下接続部３４とを接続するようになっている。この接続を行う際、湯側脚部材１８の第１通湯路２２ａの中心軸線Ａ１と水側脚部材２０の第１通水路２４ａの中心軸線Ａ３との間の距離Ｌ１は、湯側脚部材１８の上流側に接続される給湯配管（図示せず）の位置と水側脚部材２０の上流側に接続される給水配管（図示せず）の位置との距離に応じて決定されるものであり、湯水混合水栓装置１が設置される場所の給湯配管と給水配管との位置関係に影響されるものである。
【００１７】
そこで、本実施形態では、湯側脚部材１８の上流側に接続される給湯配管（図示せず）の位置や水側脚部材２０の上流側に接続される給水配管（図示せず）の位置が、湯水混合水栓装置１が設置される場所に応じてある程度変更されたとしても、湯側脚部材１８の第２通湯路２２ｂの中心軸線Ａ２と水側脚部材２０の第２通水路２４ｂの中心軸線Ａ４との間の距離Ｌ２を一定とするように、取付面４に取り付けた湯側脚部材１８及び水側脚部材２０のそれぞれに接続部材２６を接続する前の状態では、施工者が、湯側脚部材１８及び水側脚部材２０のそれぞれについて、対応する中心軸線Ａ２，Ａ４を中心に回転させることができるようになっている。
【００１８】
さらに、湯側脚部材１８及び水側脚部材２０のそれぞれを中心軸線Ａ２，Ａ４を中心に回転させることにより、湯側脚部材１８の上接続部２８と接続部材２６の湯側下接続部３０とが接続可能な位置合わせと、水側脚部材２０の上接続部３２と接続部材２６の水側下接続部３４とが接続可能な位置合わせが行われた後、湯側脚部材１８及び水側脚部材２０のそれぞれと接続部材２６とが接続されるようになっている。これらが接続されると、３つのビス等が紐で連結された締結部材５６（図２及び図４参照）によって、湯側脚部材１８の上接続部２８と接続部材２６の湯側下接続部３０とが固定され、水側脚部材２０の上接続部３２と接続部材２６の水側下接続部３４とが固定されるようになっている。
また、本実施形態では、湯側脚部材１８及び水側脚部材２０のそれぞれと接続部材２６とが接続されて固定されると、湯側脚部材１８及び水側脚部材２０が接続部材２６を介して一体化され、湯水混合水栓装置本体２を接続部材２６に接続する前に、湯側脚部材１８、水側脚部材２０及び接続部材２６が取付面４に予め固定されるようになっている。
【００１９】
ここで、図６は、本発明の第１実施形態による湯水混合水栓装置の接続部材、湯側脚部材及び水側脚部材の第２の使用状態を示す平面図であり、図７は、本発明の第１実施形態による湯水混合水栓装置の接続部材、湯側脚部材及び水側脚部材の第２の使用状態を示す正面図である。また、図８は、本発明の第１実施形態による湯水混合水栓装置の接続部材、湯側脚部材及び水側脚部材の第３の使用状態を示す平面図であり、図９は、本発明の第１実施形態による湯水混合水栓装置の接続部材、湯側脚部材及び水側脚部材の第３の使用状態を示す正面図である。
図６〜図９に示すように、本実施形態においては、取付面４に取り付けた湯側脚部材１８及び水側脚部材２０のそれぞれに接続部材２６を接続する前の状態で湯側脚部材１８及び水側脚部材２０のそれぞれを中心軸線Ａ２，Ａ４を中心に回転させることにより、湯側脚部材１８及び水側脚部材２０のそれぞれの上接続部２８，３２の水平面内の位置について、第１の使用状態Ｐ１の位置と異なる第２の使用状態Ｐ２の位置（図６及び図７参照）や第３の使用状態Ｐ３の位置（図８及び図９参照）に設定することもできるようになっている。
【００２０】
これにより、湯水混合水栓装置１が設置される場所に応じて湯側脚部材１８の上流側に接続される給湯配管（図示せず）の位置や水側脚部材２０の上流側に接続される給水配管（図示せず）の位置が変更された場合、湯側脚部材１８の第１通湯路２２ａの中心軸線Ａ１と水側脚部材２０の第１通水路２４ａの中心軸線Ａ３との間の距離Ｌ１がある程度変更されたとしても、取付面４に取り付けた湯側脚部材１８及び水側脚部材２０のそれぞれに接続部材２６を接続する前の状態で湯側脚部材１８及び水側脚部材２０のそれぞれを中心軸線Ａ２，Ａ４を中心に回転させることにより、湯側脚部材１８の第２通湯路２２ｂの中心軸線Ａ２と水側脚部材２０の第２通水路２４ｂの中心軸線Ａ４との間の距離Ｌ２を一定に保ったまま、距離Ｌ１を調整することができるようになっている。
すなわち、接続部材２６の湯側下接続部３０に接続する湯側脚部材１８の上接続部２８の水平面内における接続方向を調整すると共に、接続部材２６の水側下接続部３４に接続する水側脚部材２０の上接続部３２の水平面内における接続方向を調整することにより、湯側脚部材１８の第２通湯路２２ｂの中心軸線Ａ２と水側脚部材２０の第２通水路２４ｂの中心軸線Ａ４との間の距離Ｌ２を一定にすることができ、湯側脚部材１８の第１通湯路２２ａの中心軸線Ａ１と水側脚部材２０の第１通水路２４ａの中心軸線Ａ３との間の距離Ｌ１が異なる様々な施工条件にもかかわらず、同一の接続部材２６を適用することができるようになっている。
【００２１】
ちなみに、図６及び図７に示すように、第２の使用状態Ｐ２の湯側脚部材１８及び水側脚部材２０では、図４に示す第１の使用状態Ｐ１の湯側脚部材１８を上方から見て中心軸Ａ２を中心に右回りに９０度回転させると共に、図４に示す第１の使用状態Ｐ１の水側脚部材２０を上方から見て中心軸Ａ４を中心に左回りに９０度回転させた状態となっており、中心軸線Ａ１，Ａ３のそれぞれが、中心軸線Ａ２，Ａ４のそれぞれに対して平行であり且つ水平方向後側に偏心している。したがって、図６及び図７に示すように、第２の使用状態Ｐ２の湯側脚部材１８及び水側脚部材２０においては、湯側脚部材１８の第１通湯路２２ａの中心軸線Ａ１と水側脚部材２０の第１通水路２４ａの中心軸線Ａ３との間の距離Ｌ３（例えば、Ｌ３＝１００ｍｍ）が、湯側脚部材１８の第２通湯路２２ｂの中心軸線Ａ２と水側脚部材２０の第２通水路２４ｂの中心軸線Ａ４との間の距離Ｌ２とほぼ等しい距離（Ｌ３≒Ｌ２）となっている。
【００２２】
さらに、図８及び図９に示すように、第３の使用状態Ｐ３の湯側脚部材１８及び水側脚部材２０では、図６に示す第２の使用状態Ｐ２の湯側脚部材１８を上方から見て中心軸Ａ２を中心に右回りに９０度回転させると共に、図６に示す第２の使用状態Ｐ２の水側脚部材２０を上方から見て中心軸Ａ４を中心に左回りに９０度回転させた状態となっており、中心軸線Ａ１，Ａ３のそれぞれが、中心軸線Ａ２，Ａ４のそれぞれに対して平行であり且つ水平方向内側に偏心している。したがって、図８及び図９に示すように、第３の使用状態Ｐ３の湯側脚部材１８及び水側脚部材２０においては、湯側脚部材１８の第１通湯路２２ａの中心軸線Ａ１と水側脚部材２０の第１通水路２４ａの中心軸線Ａ３との間の距離Ｌ４（例えば、Ｌ４＝８５ｍｍ）が、湯側脚部材１８の第２通湯路２２ｂの中心軸線Ａ２と水側脚部材２０の第２通水路２４ｂの中心軸線Ａ４との間の距離Ｌ２よりも小さい距離（Ｌ４＜Ｌ２）となっている。
ここで、湯側脚部材１８の第２通湯路２２ｂの中心軸線Ａ２と水側脚部材２０の第２通水路２４ｂの中心軸線Ａ４との間の距離Ｌ２は、使用状態Ｐ１〜Ｐ３にかかわらず、実質的には、接続部材２６の湯側下接続部３０の通湯路４４の中心軸線と水側下接続部３４の通水路４６の中心軸線との間の距離に一致している。
【００２３】
つぎに、図１０及び図１１を参照して、本実施形態の湯水混合水栓装置の接続部材に組み込まれた調圧機能付き止水栓装置について説明する。
図１０は、図５のＸ−Ｘ線に沿って見た部分断面斜視図であり、図１１は、図１０に示す本発明の第１実施形態による湯水混合水栓装置の調圧機能付き止水栓装置の部分を拡大した部分拡大断面図である。
図１０に示すように、接続部材２６の通湯路４４及び通水路４６のそれぞれには、接続部材２６の前方側から調圧機能付き止水栓装置５２，５４がそれぞれ組み込まれている。ここで、本実施形態では、接続部材２６の通湯路４４と通水路４６とが互いに接続部材２６の左右方向に対称な同一形態となっており、それぞれに組み込まれている調圧機能付き止水栓装置５２，５４についても同一形態であるため、接続部材２６の通湯路４４の調圧機能付き止水栓装置５２のみについて説明し、接続部材２６の通水路４６の調圧機能付き止水栓装置５４については説明を省略する。
【００２４】
図１０及び図１１に示すように、調圧機能付き止水栓装置５２は、止水栓部材５８、調圧弁６０及び止水栓ガイド部材６２を備えている。
止水栓部材５８は、通湯路４４の調圧室６４の流入口６４ａよりも上流側の一次側通湯路４４ａの内周に沿って形成された雌ねじ部４４ｂに螺合される雄ねじ部６６と、この雄ねじ部６６の前方に配置されて前後方向に延びる回転軸部６８とを備えている。この回転軸部６８の後端部６８ａは、雄ねじ部６６の前面６６ａの一部から前方へ突出する柱部６６ｂに一体的に形成されている。さらに、雄ねじ部６６の内周面６６ｃは、通湯路４４の調圧室６４の流入口６４ａが開放された通湯状態のときに、一次側通湯路４４ａと調圧室６４とを連通させる通湯路を形成している。
【００２５】
一方、回転軸部６８の前端部は、回転軸部６８の長手方向の中心軸線Ｃの軸線回りに回転操作可能な操作部６８ｂとなっている。この操作部６８ｂには、キー溝６８ｃが形成され、このキー溝６８ｃにマイナスドライバー等の工具（図示せず）を嵌め込んで回すことにより、止水栓部材５８の雄ねじ部６６及び回転軸部６８について中心軸線Ｃの軸線回りの回転操作を行うことができるようになっている。
【００２６】
さらに、止水栓部材５８は、回転軸部６８の後端部６８ａから半径方向外側に突出するように形成された止水弁体部７０を備え、この止水弁体部７０は、止水栓部材５８の操作部６８ｂによる回転操作が行われると、回転軸部６８の軸回りの回転に応じて通湯路４４の調圧室６４の流入口６４ａに対して軸方向に相対移動することにより、流入口６４ａを開閉することができるようになっている。
【００２７】
また、止水栓部材５８の止水弁体部７０は、前後方向に所定間隔をおいて半径方向外側に突出するように形成された前側支持突起７０ａ及び後側支持突起７０ｂと、これらの前側支持突起７０ａと後側支持突起７０ｂとの間に取り付けられて保持される円環状のシール部材であるパッキン７２とを備えている。パッキン７２は、ゴム材料又は樹脂材料、或いはこれらの複合材料によって形成され、止水栓部材５８の止水弁体部７０の後側支持突起７０ｂの後端部（回転軸部６８の後端部６８ａ）及びパッキン７２の後端面７２ａが通湯路４４の調圧室６４の流入口６４ａに当接して密着しているときには、流入口６４ａが弁座となって通湯路４４の一次側通湯路４４ａと二次側通湯路４４ｃとが止水された状態となる。
一方、止水栓部材５８の止水弁体部７０の後側支持突起７０ｂ及びパッキン７２が通湯路４４の調圧室６４の流入口６４ａに当接していないときには、通湯路４４の一次側通湯路４４ａと二次側通湯路４４ｃとが通湯された状態となり、調圧弁６０の調圧弁体７４がパッキン７２の外周面７２ｂに対して軸方向に摺動可能となり且つ通湯路４４の調圧室６４内に流入した水が調圧弁体７４の内部の調圧ばね７６のばね室７８内に浸入しないように、パッキン７２の外周面７２ｂが調圧弁体７４の内周面７４ａとの隙間を密封するようになっている。
【００２８】
調圧弁６０は、止水栓部材５８の回転軸部６８に対して軸方向に移動可能に取り付けられた調圧弁体７４と、この調圧弁体７４を軸方向外側（図１１の前側方向）に付勢する調圧ばね７６とを備えている。なお、「軸方向外側」とは、止水栓部材５８が流入口６４ａを開放する方向、すなわち、止水栓部材５８の回転軸部６８の軸方向において、流入口６４ａから離間する方向を意味する。
調圧弁体７４は、止水栓部材５８の回転軸部６８及び止水弁体部７０のそれぞれの外周を取り囲むようにほぼ筒状に形成され、その内部に設けられた調圧ばね７６が軸方向に伸縮して作動するためのばね室７８を形成している。
調圧ばね７６は、軸方向の圧縮力により軸方向に伸縮可能な圧縮コイルばねであり、予め所定の圧縮荷重（予荷重）を与えられた状態で調圧ばね７６の後端部７６ａが止水栓部材５８の止水弁体部７０の前側支持突起７０ａに当接し、調圧ばね７６の前端部７６ｂが調圧弁体７４の肩部７４ｂの内面に当接している。
【００２９】
また、調圧弁体７４の肩部７４ｂの前面は、止水栓部材５８の止水弁体部７０が通湯路４４の調圧室６４の流入口６４ａを開放した通湯状態のときに、調圧弁体７４を止水栓部材５８の回転軸部６８に対して軸方向内側（図１１の後側方向）に移動させる水圧Ｐを外側から受ける受圧部７４ｃとなっている。
例えば、調圧弁体７４の受圧部７４ｃに作用する通湯路４４の調圧室６４内の水圧Ｐが所定値未満の場合には、調圧ばね７６は軸方向に撓まず、調圧弁体７４も止水栓部材５８の回転軸部６８に対して軸方向内側（図１１の後側方向）に移動しないようになっている。
一方、調圧弁体７４の受圧部７４ｃが受圧する水圧Ｐが所定値以上の場合には、この水圧Ｐが調圧弁体７４を軸方向内側（図１１の後側方向）に押圧する力が調圧ばね７６の付勢力Ｆ１（図１１参照）を上回り、調圧弁体７４が止水栓部材５８の回転軸部６８に対して軸方向内側（図１１の後側方向）に移動することにより、調圧弁体７４の後端側口縁部４８ｄと通湯路４４の調圧室６４の流入口６４ａとの相対的な距離ｄ１を調整し、一次側通湯路４４ａから調圧室６４内の流入口６４ａを経て通湯路４４の出口２４ｂから湯水混合水栓装置本体２へ流出する水の圧力が調整されるようになっている。
【００３０】
また、止水栓ガイド部材６２は、通湯路４４の調圧室６４内に取り付けられた止水栓部材５８及び調圧弁６０に軸方向外側から着脱可能に取り付けられる止水栓ガイド部材本体８０を備えている。さらに、止水栓ガイド部材６２は、通湯路４４の調圧室６４内における調圧弁６０の調圧弁体７４の外周側の二次側通湯路４４ｃを取り囲むように止水栓ガイド部材本体８０の後端側内周面８０ａに取り付けられたフィルター部材８２を備え、このフィルター部材８２が、通湯路４４の調圧室６４流入する通湯中に含まれるごみをろ過するようになっている。
【００３１】
止水栓ガイド部材本体８０の外周面には、雄ねじ８０ｂが形成され、この雄ねじ８０ｂは、接続部材２６の通湯路４４の調圧機能付き止水栓装置５２の取付部に形成された雌ねじ部４４ｄに螺合されている。
なお、本実施形態では、例として、調圧機能付き止水栓装置５２，５４のそれぞれを湯水混合水栓装置１の湯側脚部材１８及び水側脚部材２０のそれぞれに適用させる形態について説明したが、このような形態に限定されず、湯側脚部材１８については、調圧機能を備えずに止水機能のみを備えた形態とし、水側脚部材２０のみに調圧機能付き止水栓装置５４を適用させる形態であってもよい。また、このような形態とは逆に、湯側脚部材１８のみに本実施形態の調圧機能付き止水栓装置５２を適用させてもよい。
【００３２】
上述した本発明の第１実施形態の湯水混合水栓装置１によれば、湯水混合水栓装置本体２を接続部材２６に取り付ける前に、接続部材２６を湯側脚部材１８及び水側脚部材２０に予め接続することにより、湯側脚部材１８と水側脚部材２０のそれぞれについて、接続部材２６を介して一体化した状態で取付面４に予め固定することができ、容易に位置決めすることができる。また、これらの湯側脚部材１８、水側脚部材２０及び接続部材２６が一体的に固定された後、接続部材２６に湯水混合水栓装置本体２を接続することにより、湯水混合水栓装置本体２を容易に位置決めすることができるため、比較的重量が大きい湯水混合水栓装置本体２であっても、接続部材２６に接続して取り付ける際の施工性を向上させることができる。
さらに、湯側脚部材１８の第１通湯路２２ａの中心軸線Ａ１と水側脚部材２０の第１通水路２４ａの中心軸線Ａ３との距離が湯水混合水栓装置１の設置場所によって異なり、給湯配管の中心軸線と給水配管の中心軸線との距離が変更される状況であっても、湯側脚部材１８の第１通湯路２２ａの中心軸線Ａ１と第２通湯路２２ｂの中心軸線Ａ２とが互いに偏心し、水側脚部材２０の第１通水路２４ａの中心軸線Ａ３と第２通水路２４ｂの中心軸線Ａ４とが互いに偏心しているため、湯側脚部材１８の第２通湯路２２ｂの中心軸線Ａ２と水側脚部材２０の第２通水路２４ｂの中心軸線Ａ４との距離Ｌ２が一定になるように、接続部材２６の湯側下接続部３０に接続する湯側脚部材１８の上接続部２８の水平面内における接続方向を調整することができると共に、接続部材２６の水側下接続部３４に接続する水側脚部材２０の上接続部３２の水平面内における接続方向を調整することができる。したがって、給湯配管の中心軸線と給水配管の中心軸線との距離が異なる様々な施工条件にもかかわらず、同一の接続部材２６を適用することができ、湯水混合水栓装置本体２を容易に位置決めすることができる。
【００３３】
また、本実施形態の湯水混合水栓装置１によれば、接続部材２６の通湯路４４及び通水路４６のそれぞれに調圧機能付き止水栓装置５２，５４の調圧弁６０がそれぞれ設けられているため、接続部材２６の通湯路４４及び通水路４６のそれぞれにおいて、通湯時の湯の供給圧と通水時の水の供給圧のそれぞれが過剰に高くなることを抑制することで両者の差を一定の範囲内に納めることができ、湯水混合水栓装置本体２で湯と水が混合されて温度が調整される際の温度調整機能を向上させることができる。
さらに、湯側脚部材１８と水側脚部材２０とを一体化させる部材である１つの接続部材２６の通湯路４４及び通水路４６のそれぞれに調圧弁６０が設けられているため、別々の接続部材に調圧弁がそれぞれ設けられている場合に比べて、調圧弁６０の動作により発生する振動で接続部材２６自体が回動したり、接続部材２６の下接続部３０，３４と脚部材１８，２０の上接続部２８，３２との接続箇所や、接続部材２６の上接続部３８，４２と湯水混合水栓装置本体２の下接続部３６，４０との接続箇所が緩むことを抑制することができる。
【００３４】
また、本実施形態の湯水混合水栓装置１によれば、接続部材２６の前方側から調圧機能付き止水栓装置５２，５４がそれぞれ取り付けられているため、接続部材２６の前方から調圧機能付き止水栓装置５２，５４の止水栓部材５８を容易に操作することができ、使い勝手を向上させることができる。
さらに、調圧弁６０が接続部材２６の前後方向に作動する場合でも、接続部材２６が湯側脚部材１８と水側脚部材２０とを一体化させる部材であるため、接続部材２６自体が調圧弁６０の振動等の影響を受けて回動したり、接続部材２６の下接続部３０，３４と脚部材１８，２０の上接続部２８，３２との接続箇所や、接続部材２６の上接続部３８，４２と湯水混合水栓装置本体２の下接続部３６，４０との接続箇所が緩むことを抑制することができる。
【００３５】
つぎに、図１２及び図１３を参照して、本発明の第２実施形態による湯水混合水栓装置について説明する。
図１２は、本発明の第２実施形態による湯水混合水栓装置の接続部材、湯側脚部材及び水側脚部材の平面図であり、図１３は、本発明の第２実施形態による湯水混合水栓装置の接続部材、湯側脚部材及び水側脚部材の正面図である。
ここで、図１２及び図１３において、本発明の第１実施形態による湯水混合水栓装置と同一の部分については同一の符号を付し、それらの説明は省略する。
【００３６】
図１２及び図１３に示すように、本発明の第２実施形態による湯水混合水栓装置においては、湯側脚部材１８及び水側脚部材２０が、上述した本発明の第１実施形態の湯水混合水栓装置１の湯側脚部材１８及び水側脚部材２０と同一であり、接続部材１２６が、通湯路１４４を形成する湯側接続部材１２６ａと、通水路１４６を形成する水側接続部材１２６ｂとを備えた２つの接続部材からなる点が、上述した第１実施形態の湯水混合水栓装置１の単一の部材である接続部材２６と異なっている。
また、接続部材１２６においては、湯水混合水栓装置本体が接続部材１２６に接続される前に、湯側接続部材１２６ａと水側接続部材１２６ｂとが、ビス等の締結部材１５６によって締結されるようになっている。
【００３７】
これにより、本実施形態の湯水混合水栓装置を取付面４に取り付ける施工時において、湯水混合水栓装置本体を接続部材１２６に接続する前に、まず、湯側脚部材１８及び水側脚部材２０のそれぞれを取付面４に取り付けた後、施工者が、湯側脚部材１８及び水側脚部材２０のそれぞれについて、中心軸線Ａ２，Ａ４を中心に回転させることにより、湯側脚部材１８の上接続部２８と湯側接続部材１２６ａの下接続部１３０とが接続可能な位置合わせと、水側脚部材２０の上接続部３２と水接続部材１２６ｂの下接続部１３４とが接続可能な位置合わせが行われた後、湯側脚部材１８及び水側脚部材２０のそれぞれと湯側接続部材１２６ａ及び水接続部材１２６ｂのそれぞれとが接続される。そして、３つのビス等が紐で連結された締結部材５６によって、湯側脚部材１８の上接続部２８と湯側接続部材１２６ａの下接続部１３０とが固定され、水側脚部材２０の上接続部３２と水接続部材１２６ｂの下接続部１３４とがそれぞれ固定される。
さらに、湯側接続部材１２６ａと水側接続部材１２６ｂとが、ビス等の締結部材１５６によって締結されて固定されると、湯側脚部材１８と水側脚部材２０とが、接続部材１２６を介して一体化され、湯水混合水栓装置本体を接続部材１２６に接続する前に、湯側脚部材１８、水側脚部材２０及び接続部材１２６が取付面４に予め固定される。
【００３８】
上述した本発明の第２実施形態による湯水混合水栓装置によれば、湯水混合水栓装置本体を接続部材１２６に取り付ける前に、接続部材１２６ａ，１２６ｂ同士を締結部材１５６によって予め互いに固定することにより、湯側脚部材１８と水側脚部材２０のそれぞれについて、接続部材１２６を介して一体化した状態で取付面４に予め固定することができ、容易に位置決めすることができる。また、これらの湯側脚部材１８、水側脚部材２０及び接続部材１２６が一体的に固定された後、接続部材１２６に湯水混合水栓装置本体を接続することにより、湯水混合水栓装置本体を容易に位置決めすることができるため、比較的重量が大きい湯水混合水栓装置本体であっても、接続部材１２６に接続して取り付ける際の施工性を向上させることができる。
【符号の説明】
【００３９】
１    湯水混合水栓装置
２    湯水混合水栓装置本体
４    取付面
６    スパウト
６ａ  吐水口
８    シャワーヘッド
１０    シャワーホース
１２    温度調節装置
１４    カラン／シャワー切替装置
１６    外装カバー
１８    湯側脚部材
２０    水側脚部材
２２    湯側脚部材の通湯路
２２ａ  湯側脚部材の第１通湯路
２２ｂ  湯側脚部材の第２通湯路
２４    水側脚部材の通水路
２４ａ  水側脚部材の第１通水路
２４ｂ  水側脚部材の第２通水路
２６    接続部材
２８    湯側脚部材の上接続部
３０    接続部材の湯側下接続部
３２    水側脚部材の上接続部
３４    接続部材の水側下接続部
３６    湯水混合水栓装置本体の湯側下接続部
３８    接続部材の湯側上接続部
４０    湯水混合水栓装置本体の水側下接続部
４２    接続部材の水側上接続部
４４    接続部材の通湯路
４４ａ  接続部材の一次側通湯路
４４ｂ  接続部材の一次側通湯路の雌ねじ部
４４ｃ  接続部材の二次側通湯路
４４ｄ  接続部材の調圧機能付き止水栓装置の取付部の雌ねじ部
４６    接続部材の通水路
４８    湯水混合水栓装置本体の通湯路
５０    湯水混合水栓装置本体の通水路
５２    調圧機能付き止水栓装置
５４    調圧機能付き止水栓装置
５６    締結部材
５８    止水栓部材
６０    調圧弁
６２    止水栓ガイド部材
６４    調圧室
６４ａ  調圧室の流入口
６６    止水栓部材の雄ねじ部
６６ａ  雄ねじ部の前面
６６ｂ  雄ねじ部の柱部
６６ｃ  雄ねじ部の内周面
６８    止水栓部材の回転軸部
６８ａ  回転軸部の後端部
６８ｂ  回転軸部の操作部
６８ｃ  回転軸部の操作部のキー溝
７０    止水栓部材の止水弁体部
７０ａ  止水栓部材の止水弁体部の前側支持突起
７０ｂ  止水栓部材の止水弁体部の後側支持突起
７２    パッキン
７２ａ  パッキンの後端面
７２ｂ  パッキンの外周面
７４    調圧弁体
７４ａ  調圧弁体の内周面
７４ｂ  調圧弁体の肩部
７４ｃ  調圧弁体の受圧部
７６    調圧ばね
７６ａ  調圧ばねの後端部
７６ｂ  調圧ばねの前端部
７８    ばね室
８０    止水栓ガイド部材本体
８０ａ  止水栓ガイド部材本体の後端側内周面
８０ｂ  止水栓ガイド部材本体の雄ねじ
８２    フィルター部材
【図１】
2014070423.tif 000003
【図２】
2014070423.tif 000004
【図３】
2014070423.tif 000005
【図４】
2014070423.tif 000006
【図５】
2014070423.tif 000007
【図６】
2014070423.tif 000008
【図７】
2014070423.tif 000009
【図８】
2014070423.tif 000010
【図９】
2014070423.tif 000011
【図１０】
2014070423.tif 000012
【図１１】
2014070423.tif 000013
【図１２】
2014070423.tif 000014
【図１３】
2014070423.tif 000015